(57)【要約】【課題】フォトフレームを机上等の設置面に対して横置き又は縦置きに展示することができ、さらに壁等のフックに引掛けた状態で横方向又は縦方向に向きを変えて展示することができるフォトフレームを提供する。【解決手段】挟持部材４の裏板３の背面側に突設された軸ネジ１４を中心に回動自在に取付けられたフック受部材１５が着脱自在にナット１６で固定されると共に、フック受部材１５に設けられた係止突起１９に嵌合する係止穴２０ａ、２０ｂが軸ネジ１４を中心に直角を成す位置関係で挟持部材４の裏板３に設けられたことにより、フック受部材１５を縦方向又は横方向に回動して挟持部材４の裏板３に固定した状態で該フック受部材１５を壁等に取り付けられたフック１８に掛止可能とした。【選択図】図１
2008168040.tif 000002
【特許請求の範囲】
【請求項１】
表板と裏板とからなる挟持部材の表板と裏板との間に写真等の展示物を挟持し、該挟持部材の表板と裏板との対応位置に設けられた貫通孔にボルトを挿通して該ボルトを長尺又は短尺のナットで固定すると共に、挟持部材を机上等の設置面に立設して該挟持部材の裏板の背面側に固定された長尺のナットで支持するフォトフレームにおいて、挟持部材の裏板の背面側に突設された軸ネジを中心に回動自在に取付けられたフック受部材が着脱自在にナットで固定されると共に、フック受部材に設けられた係止突起に嵌合する係止穴が軸ネジを中心に直角を成す位置関係で挟持部材の裏板に設けられたことにより、フック受部材を縦方向又は横方向に回動して挟持部材の裏板に固定した状態で該フック受部材を壁等に取り付けられたフックに掛止可能としたことを特徴とするフォトフレーム。
【請求項２】
前記挟持部材の裏板の背面側に突設された軸ネジは該裏板と別体に構成され、該裏板に形成された軸穴の前側に軸ネジの頭部を収容する凹部が設けられたことにより、該裏板の軸穴に挿通された軸ネジの頭部が挟持部材の裏板の前面から突出しないようにしたことを特徴とする請求項１記載のフォトフレーム。
【請求項３】
前記フック受部材の一端にＵ字形のフックを引掛ける係止片が形成されていることを特徴とする請求項１又は２記載のフォトフレーム。
【発明の詳細な説明】
【技術分野】
【０００１】
本発明は、写真、絵葉書等の展示物を挟み込んで机上等の設置面に展示すると共に、壁面等にも展示することができるようにしたフォトフレームに関する。
【背景技術】
【０００２】
従来から知られているフォトフレームには、特許文献１に記載されているように、透明な表板と裏板との四隅の対応位置に設けられた雄ネジに雌ネジを締結することにより、表板と裏板との間に挟み込んだ写真等を展示し、また雌ネジを緩めて表板と裏板との間に隙間を設けることによって写真等を取替え可能にしたものがある。このようなフォトフレームは、机上等の設置面側に長尺の雌ネジを使用することによって、フォトフレームを斜めに立てた状態で支持することが可能とされている。
【０００３】
ところが、上記のフォトフレームは壁等に固定したフックに引掛けた状態で展示すことができないという不都合があった。従って、このタイプのフォトフレームは、机上等の設置面に斜めに立てた状態で展示するほかに使用することが困難であった。
【特許文献１】実開平５−１５８６９号公報
【発明の開示】
【発明が解決しようとする課題】
【０００４】
本発明は、上記の事情に鑑みてなされたもので、フォトフレームを机上等の設置面に対して横置き又は縦置きに展示することができ、さらに壁等のフックに引掛けた状態で横方向又は縦方向に向きを変えて展示することができるフォトフレームを提供することを目的とする。
【課題を解決するための手段】
【０００５】
上記の目的を達成するために、本発明の請求項１のフォトフレームは、表板と裏板とからなる挟持部材の表板と裏板との間に写真等の展示物を挟持し、該挟持部材の表板と裏板との対応位置に設けられた貫通孔にボルトを挿通して該ボルトを長尺又は短尺のナットで固定すると共に、挟持部材を机上等の設置面に立設して該挟持部材の裏板の背面側に固定された長尺のナットで支持するフォトフレームにおいて、挟持部材の裏板の背面側に突設された軸ネジを中心に回動自在に取付けられたフック受部材が着脱自在にナットで固定されると共に、フック受部材に設けられた係止突起に嵌合する係止穴が軸ネジを中心に直角を成す位置関係で挟持部材の裏板に設けられたことにより、フック受部材を縦方向又は横方向に回動して挟持部材の裏板に固定した状態で該フック受部材を壁等に取り付けられたフックに掛止可能としたことを特徴とする。
【０００６】
また、本発明の請求項２のフォトフレームは、請求項１において、前記挟持部材の裏板の背面側に突設された軸ネジは該裏板と別体に構成され、該裏板に形成された軸穴の前側に軸ネジの頭部を収容する凹部が設けられたことにより、該裏板の軸穴に挿通された軸ネジの頭部が挟持部材の裏板の前面から突出しないようにしたことを特徴とする。
【０００７】
さらに、本発明の請求項３のフォトフレームは、請求項１又は２において、前記フック受部材の一端にＵ字形のフックを引掛ける係止片が形成されていることを特徴とする。
【発明の効果】
【０００８】
上記の構成を有する本発明によれば、表板と裏板との間に写真等の展示物を挟み込み、表板と裏板の対応位置に設けられたボルトにナットを固定することにより写真等の展示物を固定することができる。また、長尺ナットと短尺ナットの付け替えによって、フォトフレームを机上や棚等の設置面に対し横置き又は縦置きの状態で展示することが可能である。このような展示状態において、机上等の設置面側に取付けられた長尺ナットはフォトフレームを斜めに立てた状態で支持する機能を兼ねるものである。また、ボルトからナットを離脱し、表板と裏板との間に隙間を設けることによって写真等の展示物を容易に取り替えることが可能となる。
【０００９】
さらに、本発明のフォトフレームは、上記のように机上等の設置面に横置き又は縦置きの状態で展示することができるほか、裏板に回動自在に設けられたフック受部材によって、本発明のフォトフレームを壁等のフックに引掛けた状態で展示することができる。しかも、この壁等へ展示する際、フック受部材を所望方向へ回動し、フック部材の回動の中心となる軸ネジをナットで固定することによって、フォトフレームを横向き又は縦向きに展示することが可能となる。
【００１０】
さらに、本発明においては、裏板に形成された軸穴の前側に軸ネジの頭部を収容する凹部が設けられたことによって、裏板の軸穴に挿通された軸ネジの頭部が裏板の前面から突出しないようにしてあるため、表板と裏板との間に挟み込んだ写真等の展示物を傷つけず、しかも表板と裏板とを密着した状態で固定することが可能となる。
【発明を実施するための最良の形態】
【００１１】
以下、本発明の実施例について図面を参照しながら説明する。
【実施例１】
【００１２】
本実施例は、図１又は図２に示すように、表板２と裏板３とからなる挟持部材４の間に絵葉書や写真等の展示物５（図２参照）を挟持した状態で展示するフォトフレーム１の構成を備えている。このような構成において、表板２と裏板３は共にアクリル樹脂から成る薄板を矩形に形成したもので、これらの表板２と裏板３とは同様の平面形状を有し、夫々の合わせ面及び外形を正確に合致することができる。
【００１３】
なお、本実施例の各図において、表板２と裏板３とは共に透明のアクリル樹脂を使用したものとして図示してあるが、少なくとも表板２を透明とすればフォトフレーム１の展示機能を果たすことができる。また、表板２の周縁を非透明として着色や装飾を施してもよい。さらに、本実施例において、表板２と裏板３の平面形状は共に矩形としてあるが、夫々の平面形状を円形、楕円形、三角形、その他の形状にしたり、表板２と裏板３とを異形に形成してもよい。
【００１４】
また、図３に示すように、表板２と裏板３との対応位置に設けられた貫通孔（表板２の四隅の貫通孔６ａ〜６ｄ、裏板３の四隅の貫通孔７ａ〜７ｄ）にボルト８ａ〜８ｄを挿通して夫々のボルト８ａ〜８ｄを長尺又は短尺のナット９ａ〜９ｄ（短尺ナット９ａ、９ｂ、長尺ナット９ｃ、９ｄ）で締結することにより、表板２と裏板３との間に挟み込んだ写真等の展示物５を固定状態に保持することができる。
【００１５】
上記の構成を具体的に説明すると、図３に示すように、表板２と裏板３とを矩形に形成した場合、夫々の板材の四隅の対応位置に貫通孔（表板２の四隅の貫通孔６ａ〜６ｄ、裏板３の四隅の貫通孔７ａ〜７ｄ）を形成し、図１に示すように表板２と裏板３とを合致した状態で、表板２の四隅の貫通孔６ａ〜６ｄの前面側からボルト８ａ〜８ｄを挿通する。夫々のボルト８ａ〜８ｄはネジ部１０Ｂに対して大径に形成された頭部１０Ａが表板２の各貫通孔６ａ〜６ｄの周縁に係止され、ネジ部１０Ｂが裏板３の背面に突出する。
【００１６】
また、このように裏板３の背面に突出するボルト８ａ〜８ｄに締結するナット９ａ〜９ｄは、机上等の設置面１２（図２参照）に当接する側、即ち下方の左右のボルト８ｃ、８ｄに締結するナットとして長尺ナット９ｃ、９ｄを使用し、上方の左右のボルト８ａ、８ｂに締結するナット９として短尺ナット９ａ、９ｂを使用するとよい。
【００１７】
なお、短尺ナット９ａ、９ｂは合成樹脂で構成してもよい。また、長尺ナット９ｃ、９ｄは強度を確保するために金属製とし、机上等の設置面１２に当接する先端部にキャップ形状の弾性ゴム部材１１を被せたものとしている。
【００１８】
このような構成により、表板２と裏板３との間に写真等の展示物５を挟み込んで表板２と裏板３とを合致させ、この状態で表板２の四隅の貫通孔６ａ〜６ｄの前側から背面側へボルト８ａ〜８ｄを挿通し、裏板３の背面側から突出する夫々のボルト８ａ〜８ｄに対してナット９ａ〜９ｄを締結することにより、図２（ａ）、(ｂ)に示すように、表板２と裏板３との間の定位置に写真等の展示物５を固定することができる。
【００１９】
また、図２（ａ）又は(ｂ)に示すように、表板２と裏板３との間に写真等の展示物５を挟み込んで固定してなるフォトフレーム１を机上等の設置面１２に立てると、フォトフレーム１の下辺１３が机上等の設置面１２に当接すると共に、下方左右の長尺ナット９ｃ、９ｄの先端の弾性ゴム部材１１が設置面１２に当接することによって滑り止めがなされた状態で、フォトフレーム１が斜めに支持された状態を保持することとなる。
【００２０】
なお、図２（ａ）の設置状態は、上記のフォトフレーム１の下辺１３が長辺であって、この長辺を設置面１２に当接したことによって横置きしたものであるが、このフォトフレーム１を縦置きとすることも可能である。即ち、図２(ｂ)に示すように、画像が縦状態に撮影されている写真等の展示物５を展示する場合、本実施例のフォトフレーム１の短辺側が下辺１３となるようにして設置面１２に当接する縦置きとする。この場合、下辺１３となる短辺側の下方左右のボルト８ｃ、８ｄに長尺ナット９ｃ、９ｄを締結し、上方左右のボルト８ａ、８ｂに短尺ナット９ａ、９ｂを締結することによって、縦置きの状態でフォトフレーム１が倒れないように斜めに支持することが可能となる。
【００２１】
さらに、本実施例においては、図１に示すように、裏板３の中央位置の背面側に突設された軸ネジ１４を中心に回動自在に設けられたフック受部材１５がナット１６で着脱自在に固定されている。この構成についてより詳細に説明すると、図５（ａ）に示すように、裏板３の背面側に突設される軸ネジ１４は裏板３と別体に構成され、裏板３の中央位置に形成された軸穴１７は軸ネジ１４の皿形の頭部１４Ａを収容する皿形状１７ａに形成され、図５(ｂ)に示すように軸ネジ１４を裏板３の軸穴１７に挿通すると、頭部１４Ａの頂面１４Ｃが裏板３の前面３Ａと同一面をなすように定着させることができ、軸ネジ１４の頭部１４Ａの頂面１４Ｃが裏板３の前面３Ａから突出しないものとしている。
【００２２】
このため、表板２と裏板３との間に挟み込む写真等の展示物５が軸ネジ１４の頭部１４Ａで傷付くことがなく、また表板２と裏板３とが隙間なく密着した状態で合致させることが可能となる。なお、上記の構成においては、軸ネジ１４を透明合成樹脂により構成することによって、透明アクリル樹脂からなる表板２と裏板３、及び透明合成樹脂からなるフック受部材１５の外観に合わせて美的な意匠性を確保することができる。
【００２３】
さらに、本実施例においては、上記のように構成された裏板３の背面側に突出した軸ネジ１４に対して回動自在にフック受部材１５が設けられている。このフック受部材１５は、図４に示すように、透明合成樹脂からなる矩形の片側に半円弧形状を有する薄型形状を有し、外周に強度を確保するためのフランジ１５ａが形成されている。さらに、フック受部材１５の円弧形状側の略中心に軸穴１５ｂが形成され、図５（ａ）又は図７に示すように、この軸穴１５ｂに裏板３の背面側に突出した軸ネジ１４を挿通してナット１６で締結することができる。このような構成において、ナット１６を緩めることによって、フック受部材１５は、軸ネジ１４を中心に回動自在となる。なお、軸ネジ１４に締結するナット１６は透明の合成樹脂によって形成し、他の部材が透明材料で構成された意匠性に適合するものとされている。
【００２４】
また、このフック受部材１５においては、図４に示すように、半円弧形状側の反対側端部にＵ字形のフック１８（図７参照）を引掛けることができる係止片１５ｃが形成され、その係止片１５ｃに対向して隙間１５ｄが形成されている。また、係止片１５ｃの中央下部に半円弧形の小径の凹部１５ｆが形成され、係止片１５ｃに隣接する平坦形状のフランジ１５ｅの略中央には角形の凹溝１５ｇが形成されている。このような構成により、図７に示すように、壁面２１等に固定されたフック１８をフック受部材１５の係止片１５ｃに掛止すると共に、フック１８を凹部１５ｆに挿通することによって、フック１８は所定位置でフック受部材１５を引掛けることができ、フック受部材１５を介してフォトフレーム１を壁面２１等に展示することが可能となる。
【００２５】
なお、上記のフック受部材１５において、半円弧形の小径の凹部１５ｆは、フック１８が棒状の部材で形成されたとき、この棒状フックを嵌合状態で掛止する際に好適し、角形の凹溝１５ｇは長尺平板を曲げた形状のフック１８を掛止する際に好適するものである。
【００２６】
さらに、図３に示すように、本実施例のフック受部材１５には、該フック受部材１５と裏板３とが当接する面にて互いに嵌合する係止突起１９と係止穴２０ａ、２０ｂが形成されている。即ち、フック受部材１５に設けられた係止突起１９に嵌合する係止穴２０ａ、２０ｂが軸ネジ１４を中心に直角を成す位置関係で裏板３に設けられている。このような構成により、図６に示すように、フック受部材１５を直角に回動してフック受部材１５の係止突起１９をいずれかの係止穴２０ａ、２０ｂに嵌合した状態にして軸ネジ１４にナット１６を締結することによって、フック受部材１５を縦方向か横方向かのいずれかに向けて固定状態とすることが可能となる。
【００２７】
上記の構成により、図７に示すようにフック受部材１５を介してフォトフレーム１を壁面２１等に展示することが可能となると共に、図８に示すように、フォトフレーム１を写真等の展示物５の画像に応じて、図８（ａ）に示す横方向、または図８(ｂ)に示す縦方向に向けて展示することが可能となる。
【００２８】
なお、本発明のフォトフレーム１を壁面２１等のフック１８に掛けて展示する場合、フォトフレーム１の下方左右の背面側に長尺ナット９ｃ、９ｄが締結されていると、フォトフレーム１が壁面２１に対して傾斜した状態となるが、フォトフレーム１を壁面２１に対して平行に取付けることが望ましい場合は、図７に示すように、フォトフレーム１の下方左右の背面側に突出するボルト８ｃ、８ｄに短尺ナット９ａ、９ｂを締結することによって実現可能となる。
【産業上の利用可能性】
【００２９】
本発明のフォトフレームは、表板と裏板とを固定するボルトに対する長尺ナット又は短尺ナットの付け替えによって、フォトフレームを机上等の設置面に対して横置き又は縦置きに展示することができ、さらに壁等のフックに引掛けた状態で横方向又は縦方向に向きを変えて展示することができるフォトフレームとして利用可能である。
【図面の簡単な説明】
【００３０】
【図１】本発明によるフォトフレームを横置きした状態に展示した斜視図である。
【図２】本発明によるフォトフレームに写真等の展示物を挟み込んで机上等の設置面に展示したものであり、（ａ）はフォトフレームを横置きした状態を示し、(ｂ)はフォトフレームを縦置きした状態を示す。
【図３】本発明によるフォトフレームの分解斜視図である。
【図４】本発明によるフォトフレームのフック受部材を示す斜視図である。
【図５】本発明によるフォトフレームのフック受部材の分解状態とその取付部近傍を示す断面図であり、(ａ)は各部材の分解状態、(ｂ)は軸ネジを裏板の軸穴に挿通して定着した状態を示す。
【図６】本発明によるフォトフレームを正面から見た図であり、フック受部材の取付け方向を縦方向と横向きに変えた状態を示す。
【図７】本発明によるフォトフレームのフック受部材を壁に固定したフックに引掛けた状態を示す部分断面図である。
【図８】本発明によるフォトフレームに写真等の展示物を挟み込んで壁等に展示したものであり、（ａ）はフォトフレームを横向きにした状態を示し、(ｂ)はフォトフレームを縦向きにした状態を示す。
【符号の説明】
【００３１】
１  フォトフレーム
２  表板
３  裏板
４  挟持部材
５  展示物
６ａ〜６ｄ  表板の四隅の貫通孔
７ａ〜７ｄ  裏板の四隅の貫通孔
８ａ〜８ｄ  ボルト
９ａ、９ｂ  短尺ナット
９ｃ、９ｄ  長尺ナット
１０Ａ  頭部
１０Ｂ  ネジ部
１１  弾性ゴム部材
１２  設置面
１３  下辺
１４  軸ネジ
１４Ａ  頭部
１４Ｂ  ネジ部
１５  フック受部材
１５ａ  フランジ
１５ｂ  軸穴
１５ｃ  係止片
１５ｄ  隙間
１５ｆ  凹部
１５ｅ  フランジ
１５ｇ  凹溝
１６  ナット
１７  軸穴
１７ａ  皿形状
１８  フック
１９  係止突起
２０ａ、２０ｂ  係止穴
２１  壁面
【図１】
2008168040.tif 000003
【図２】
2008168040.tif 000004
【図３】
2008168040.tif 000005
【図４】
2008168040.tif 000006
【図５】
2008168040.tif 000007
【図６】
2008168040.tif 000008
【図７】
2008168040.tif 000009
【図８】
2008168040.tif 000010